(57)【要約】【課題】部品点数および電気配線が増加するのを抑制しつつ、表示ボタン部の押込操作に関する検出を行うことが可能なプロジェクタを提供する。【解決手段】このプロジェクタ１００は、投影光が投影部１０により投影されて画像が表示されるとともに、操作物体９０により押込操作されることにより押込方向に移動する表示ボタン部２０と、投影部１０により投影光の一部が投影されるとともに、表示ボタン部２０が押込方向に移動されるのに従って、投影された投影光の反射状態が変化するように反射する反射部３０と、反射部３０から反射された投影光を検出する光検出部４０と、光検出部４０の検出結果に基づいて、表示ボタン部２０の押込操作に関する検出を行う制御部７０と、を備える。【選択図】図４
2015191543.tif 000002
【特許請求の範囲】
【請求項１】
少なくとも画像を形成する投影光を投影する投影部と、
画像を形成する投影光が前記投影部により投影されて画像が表示されるとともに、操作物体により押込操作されることにより押込方向に移動する表示ボタン部と、
前記投影部により投影光の一部が投影されるとともに、前記表示ボタン部が前記押込方向に移動されるのに従って、投影された投影光の反射状態が変化するように反射する反射部と、
前記反射部から反射された投影光を検出する光検出部と、
前記光検出部の検出結果に基づいて、前記表示ボタン部の押込操作に関する検出を行う制御部と、を備える、プロジェクタ。
【請求項２】
前記光検出部は、前記反射部から反射された投影光に加えて、前記表示ボタン部を押込操作する前記操作物体から反射された投影光を検出するように構成されている、請求項１に記載のプロジェクタ。
【請求項３】
前記制御部は、前記光検出部の前記反射部から反射された投影光の検出結果に基づいて、前記表示ボタン部の押込操作に関する検出を行うとともに、前記光検出部の前記表示ボタン部を押込操作する前記操作物体から反射された投影光の検出結果に基づいて、前記操作物体の位置情報を取得する制御を行うように構成されている、請求項２に記載のプロジェクタ。
【請求項４】
前記反射部は、前記表示ボタン部が前記押込方向に移動されるのに従って投影光に対して移動することによって、投影された投影光の反射量が変化するように構成されている、請求項１〜３のいずれか１項に記載のプロジェクタ。
【請求項５】
前記反射部は、前記表示ボタン部が前記押込方向に移動される押込状態において、前記投影部により投影された投影光を第１の反射率で反射する第１領域と、前記表示ボタン部が前記押込方向に移動される前の押込待機状態において、前記投影部により投影された投影光を前記第１の反射率よりも低い第２の反射率で反射する第２領域とを含み、
前記制御部は、前記第１領域から反射される投影光の検出結果に基づいて、前記表示ボタン部の押込操作に関する検出を行うように構成されている、請求項４に記載のプロジェクタ。
【請求項６】
前記反射部の前記第１領域は、前記表示ボタン部が前記押込方向に移動されるのに従って、前記第１領域から反射される投影光の反射量が増加するように形成されており、
前記制御部は、前記第１領域から反射される投影光の反射量が増加するのに基づいて、前記表示ボタン部の押込量を取得する制御を行うように構成されている、請求項５に記載のプロジェクタ。
【請求項７】
前記反射部の前記第１領域は、前記反射部の投影光に対して移動する方向とは反対の方向に向かって徐々に拡大するように形成されることによって、前記表示ボタン部が前記押込方向に移動されるのに従って、前記第１領域から反射される投影光の反射量が増加するように形成されている、請求項６に記載のプロジェクタ。
【請求項８】
前記投影部は、垂直走査方向および水平走査方向に投影光を走査するように構成されており、
前記反射部は、前記表示ボタン部の前記垂直走査方向および前記水平走査方向の少なくともいずれか一方の方向における一方側の端部近傍および他方側の端部近傍に設けられている、請求項１〜７のいずれか１項に記載のプロジェクタ。
【請求項９】
前記制御部は、前記垂直走査方向および前記水平走査方向の少なくともいずれか一方の方向における一方側の端部近傍および他方側の端部近傍に設けられる前記反射部から反射された投影光の検出結果に基づいて、前記表示ボタン部が傾いた状態で前記押込方向に移動されたか否かを判定するとともに、前記表示ボタン部が傾いた状態で前記押込方向に移動されたと判定された場合には、前記表示ボタン部の押込量を補正する制御を行うように構成されている、請求項８に記載のプロジェクタ。
【請求項１０】
前記反射部は、前記表示ボタン部の前記垂直走査方向の一方側の端部近傍および他方側の端部近傍に設けられているとともに、前記水平走査方向に沿って延びるように形成されている、請求項８または９に記載のプロジェクタ。
【請求項１１】
少なくとも画像を形成する投影光を投影する投影部と、
画像を形成する投影光が前記投影部により投影されて画像が表示されるとともに、操作物体により押込操作されることにより押込方向に移動する表示ボタン部と、
前記投影部により投影光の一部が投影されるとともに、前記表示ボタン部が前記押込方向に移動されるのに従って、投影された投影光の反射状態が変化するように反射する反射部と、
前記反射部から反射された投影光を検出する光検出部と、
前記光検出部の検出結果に基づいて、前記表示ボタン部の押込操作に関する検出を行う制御部と、を備える、入力装置。
【発明の詳細な説明】
【技術分野】
【０００１】
この発明は、プロジェクタおよび入力装置に関し、特に、投影光が投影されて画像が表示される表示ボタン部を備えるプロジェクタおよび入力装置に関する。
【背景技術】
【０００２】
従来、投影光が投影されて画像が表示される表示ボタン部を備える入力装置が知られている（たとえば、特許文献１参照）。
【０００３】
上記特許文献１には、複数のキー（表示ボタン部）からなる入力部と、入力部の複数のキーに文字を投影するための発光部とを備える移動無線端末装置（入力装置）が開示されている。この移動無線端末装置は、複数のキーからなる入力部がユーザにより押込操作された場合には、押込操作がスイッチにより検出されるように構成されている。なお、上記特許文献１には明記されていないものの、従来、このようなスイッチとして、発光素子と受光素子とにより構成され、受光素子における発光素子からの光の受光状態の変化を検出することによって押込操作を検出する光学式のスイッチが知られている。
【先行技術文献】
【特許文献】
【０００４】
【特許文献１】特開２００８−９５２６号公報
【発明の概要】
【発明が解決しようとする課題】
【０００５】
しかしながら、上記特許文献１に記載の移動無線端末装置では、押込操作を検出するスイッチとして上記した従来から知られている発光素子と受光素子とにより構成される光学式のスイッチが用いられる場合には、発光部だけでなく発光素子も設ける必要があるため、複数の光源部（発光部および発光素子）を設けることに起因して、部品点数や電気配線が増加してしまうという問題点がある。
【０００６】
この発明は、上記のような課題を解決するためになされたものであり、この発明の１つの目的は、部品点数および電気配線が増加するのを抑制しつつ、表示ボタン部の押込操作に関する検出を行うことが可能なプロジェクタおよび入力装置を提供することである。
【課題を解決するための手段】
【０００７】
この発明の第１の局面によるプロジェクタは、少なくとも画像を形成する投影光を投影する投影部と、画像を形成する投影光が投影部により投影されて画像が表示されるとともに、操作物体により押込操作されることにより押込方向に移動する表示ボタン部と、投影部により投影光の一部が投影されるとともに、表示ボタン部が押込方向に移動されるのに従って、投影された投影光の反射状態が変化するように反射する反射部と、反射部から反射された投影光を検出する光検出部と、光検出部の検出結果に基づいて、表示ボタン部の押込操作に関する検出を行う制御部と、を備える。
【０００８】
この発明の第１の局面によるプロジェクタでは、上記のように、投影部により投影光の一部が投影されるとともに、表示ボタン部が押込方向に移動されるのに従って、投影された投影光の反射状態が変化するように反射する反射部と、反射部から反射された投影光を検出する光検出部と、光検出部の検出結果に基づいて、表示ボタン部の押込操作に関する検出を行う制御部とを設けることによって、投影部を光源として用いて表示ボタン部の押込操作に関する検出を行うことができる。これにより、表示ボタン部の押込操作に関する検出を行うのに投影部とは別個に光源を設ける必要がない。その結果、部品点数および電気配線が増加するのを抑制しつつ、表示ボタン部の押込操作に関する検出を行うことができる。また、表示ボタン部が押込方向に移動されるのに従って、投影された投影光の反射状態が変化するように反射する反射部を用いることにより、押込操作の検出のみならず、押込量の検出も行うことができる。
【０００９】
上記第１の局面によるプロジェクタにおいて、好ましくは、光検出部は、反射部から反射された投影光に加えて、表示ボタン部を押込操作する操作物体から反射された投影光を検出するように構成されている。このように構成すれば、反射部から反射された投影光の検出結果に基づいて表示ボタン部の押込操作に関する検出を行うのに加えて、表示ボタン部を押込操作する操作物体から反射された投影光に基づいて、たとえば、操作物体の押込位置を検出することができるので、部品点数および電気配線が増加するのを抑制しながら、投影部による投影光を利用して、押込操作だけに基づく制御よりも多様な制御を行うことができる。
【００１０】
この場合、好ましくは、制御部は、光検出部の反射部から反射された投影光の検出結果に基づいて、表示ボタン部の押込操作に関する検出を行うとともに、光検出部の表示ボタン部を押込操作する操作物体から反射された投影光の検出結果に基づいて、操作物体の位置情報を取得する制御を行うように構成されている。このように構成すれば、反射部からの投影光と、操作物体からの投影光とを利用して、押込操作および押込量の検出を行うのに加えて、操作物体の位置に対応する制御も行うことができる。
【００１１】
上記第１の局面によるプロジェクタにおいて、好ましくは、反射部は、表示ボタン部が押込方向に移動されるのに従って投影光に対して移動することによって、投影された投影光の反射量が変化するように構成されている。このように構成すれば、投影光の反射量の変化に基づいて、容易に、押込操作のみならず押込量の検出も行うことができる。
【００１２】
この場合、好ましくは、反射部は、表示ボタン部が押込方向に移動される押込状態において、投影部により投影された投影光を第１の反射率で反射する第１領域と、表示ボタン部が押込方向に移動される前の押込待機状態において、投影部により投影された投影光を第１の反射率よりも低い第２の反射率で反射する第２領域とを含み、制御部は、第１領域から反射される投影光の検出結果に基づいて、表示ボタン部の押込操作に関する検出を行うように構成されている。このように構成すれば、第１の反射率を有する第１領域と、第１の反射率よりも低い第２の反射率を有する第２領域とにより投影光を反射することができるので、容易に、反射部における投影光の反射量を変化させることができる。また、第２領域よりも反射率の高い第１領域から反射される投影光の検出結果に基づいて、表示ボタン部の押込操作に関する検出を行うように制御部を構成することによって、確実に、押込操作および押込量の検出を行うことができる。
【００１３】
上記反射部が第１領域と第２領域とを含む構成において、好ましくは、反射部の第１領域は、表示ボタン部が押込方向に移動されるのに従って、第１領域から反射される投影光の反射量が増加するように形成されており、制御部は、第１領域から反射される投影光の反射量が増加するのに基づいて、さらに表示ボタン部の押込量を取得する制御を行うように構成されている。このように構成すれば、容易に、表示ボタン部の押込操作のみならず、表示ボタン部の押込量を検出することができる。
【００１４】
この場合、好ましくは、反射部の第１領域は、反射部の投影光に対して移動する方向とは反対の方向に向かって徐々に拡大するように形成されることによって、表示ボタン部が押込方向に移動されるのに従って、第１領域から反射される投影光の反射量が増加するように形成されている。このように構成すれば、反射部の投影光に対して移動する方向とは反対の方向に向かって徐々に拡大するように第１領域が形成されているので、第１領域が急激に拡大するように形成されている場合と比べて、制御部により表示ボタン部の押込量をより細かく取得することができる。
【００１５】
上記第１の局面によるプロジェクタにおいて、好ましくは、投影部は、垂直走査方向および水平走査方向に投影光を走査するように構成されており、反射部は、表示ボタン部の垂直走査方向および水平走査方向の少なくともいずれか一方の方向における一方側の端部近傍および他方側の端部近傍に設けられている。ここで、操作物体による押込位置が表示ボタン部の端部近傍である場合には、表示ボタン部は、傾いた状態で押込方向に移動される場合がある。この場合、操作物体による押込位置側の表示ボタン部の端部は、充分に押込方向に移動するものの、操作物体による押込位置とは反対側の表示ボタン部の端部は、押込方向にほとんど移動されない。そこで、上記のように、表示ボタン部の垂直走査方向および水平走査方向の少なくともいずれか一方の方向における一方側の端部近傍および他方側の端部近傍に反射部を設けることによって、表示ボタン部が傾いた状態で押込方向に移動される場合に、反射部により投影光の反射状態が変化されないのを抑制することができる。これにより、表示ボタン部が傾いた状態で押込方向に移動される場合であっても、確実に、表示ボタン部の押込操作に関する検出を行うことができる。
【００１６】
この場合、好ましくは、制御部は、垂直走査方向および水平走査方向の少なくともいずれか一方の方向における一方側の端部近傍および他方側の端部近傍に設けられる反射部から反射された投影光の検出結果に基づいて、表示ボタン部が傾いた状態で押込方向に移動されたか否かを判定するとともに、表示ボタン部が傾いた状態で押込方向に移動されたと判定された場合には、表示ボタン部の押込量を補正する制御を行うように構成されている。このように構成すれば、表示ボタン部が傾いた状態で押込方向に移動されたとしても、表示ボタン部の押込量が補正されるので、表示ボタン部が正常な状態で押込方向に移動された場合のみならず、表示ボタン部が傾いた状態で押込方向に移動された場合にも、表示ボタン部の押込量を正確に取得することができる。
【００１７】
上記反射部が垂直走査方向および水平走査方向の少なくともいずれか一方の方向における両端部近傍に設けられる構成において、好ましくは、反射部は、表示ボタン部の垂直走査方向の一方側の端部近傍および他方側の端部近傍に設けられているとともに、水平走査方向に沿って延びるように形成されている。このように構成すれば、水平走査方向に走査される投影光の軌跡により形成される水平走査線に対応する時間的に連続する検出信号（検出波形）を光検出部により検出することができるので、表示ボタン部の水平走査方向の一方側の端部近傍および他方側の端部近傍に設けられている構成と比べて、検出信号を容易に処理することができる。
【００１８】
この発明の第２の局面による入力装置は、少なくとも画像を形成する投影光を投影する投影部と、画像を形成する投影光が投影部により投影されて画像が表示されるとともに、操作物体により押込操作されることにより押込方向に移動する表示ボタン部と、投影部により投影光の一部が投影されるとともに、表示ボタン部が押込方向に移動されるのに従って、投影された投影光の反射状態が変化するように反射する反射部と、反射部から反射された投影光を検出する光検出部と、光検出部の検出結果に基づいて、表示ボタン部の押込操作に関する検出を行う制御部と、を備える。
【００１９】
この発明の第２の局面による入力装置では、上記のように、投影部により投影光の一部が投影されるとともに、表示ボタン部が押込方向に移動されるのに従って、投影された投影光の反射状態が変化するように反射する反射部と、反射部から反射された投影光を検出する光検出部と、光検出部の検出結果に基づいて、表示ボタン部の押込操作に関する検出を行う制御部とを設けることによって、投影部を光源として用いて表示ボタン部の押込操作に関する検出を行うことができる。これにより、表示ボタン部の押込操作に関する検出を行うのに投影部とは別個に光源を設ける必要がない。その結果、部品点数および電気配線が増加するのを抑制しつつ、表示ボタン部の押込操作に関する検出を行うことができる。また、表示ボタン部が押込方向に移動されるのに従って、投影された投影光の反射状態が変化するように反射する反射部を用いることにより、押込操作の検出のみならず、押込量の検出も行うことができる。
【発明の効果】
【００２０】
本発明によれば、上記のように、部品点数および電気配線が増加するのを抑制しつつ、表示ボタン部の押込操作に関する検出を行うことが可能なプロジェクタおよび入力装置を提供することができる。
【図面の簡単な説明】
【００２１】
【図１】本発明の第１実施形態によるプロジェクタの全体構成を示す図である。
【図２】本発明の第１実施形態によるプロジェクタの投影光の走査を説明するための概念図である。
【図３】本発明の第１実施形態によるプロジェクタの表示ボタン部を下方から見た図である。
【図４】本発明の第１実施形態によるプロジェクタの表示ボタン部を側方から見た図である。
【図５】本発明の第１実施形態によるプロジェクタの反射部から反射された投影光の検出信号を説明するための図である。
【図６】本発明の第２実施形態によるプロジェクタの表示ボタン部を側方から見た図である。
【図７】本発明の第２実施形態によるプロジェクタの表示ボタン部を下方から見た図である。
【図８】本発明の第２実施形態によるプロジェクタの反射部を説明するための図である。
【図９】本発明の第２実施形態によるプロジェクタの押込待機状態における検出信号を説明するための図である。
【図１０】本発明の第２実施形態によるプロジェクタの押込過程状態における検出信号を説明するための図である。
【図１１】本発明の第２実施形態によるプロジェクタの押込完了状態における検出信号を説明するための図である。
【図１２】本発明の第３実施形態によるプロジェクタの反射部を説明するための図である。
【図１３】本発明の第３実施形態によるプロジェクタの押込待機状態における検出信号を説明するための図である。
【図１４】本発明の第３実施形態によるプロジェクタの押込過程状態における検出信号を説明するための図である。
【図１５】本発明の第３実施形態によるプロジェクタの表示ボタン部が傾いた状態で押込操作された状態における検出信号を説明するための図である。
【図１６】本発明の第３実施形態によるプロジェクタの表示ボタン部の押込量を補正する移動補正処理を説明するためのフローチャートである。
【図１７】本発明の第４実施形態によるプロジェクタの表示ボタン部を下方から見た図である。
【図１８】本発明の第４実施形態によるプロジェクタの反射部を説明するための展開図である。
【発明を実施するための形態】
【００２２】
以下、本発明を具体化した実施形態を図面に基づいて説明する。
【００２３】
（第１実施形態）
図１〜図５を参照して、本発明の第１実施形態によるプロジェクタ１００の構成について説明する。なお、プロジェクタ１００は、本発明の「入力装置」の一例である。
【００２４】
本発明の第１実施形態によるプロジェクタ１００は、図１に示すように、少なくとも画像を形成する投影光を投影する投影部１０と、画像を形成する投影光が投影部１０により投影されて画像が表示されるとともに、操作物体９０（ユーザの指）により押込操作されることにより押込方向（Ｚ２方向（図４参照））に移動する表示ボタン部２０とを備えている。このプロジェクタ１００は、表示ボタン部２０に投影されたゲームなどの画像をユーザが操作（タッチ操作やスワイプ操作、押込操作などの操作）するのに応じて、表示ボタン部２０に表示（投影）された画像を変化させて、ユーザに対して所定の遊技価値を提供する装置である。
【００２５】
また、プロジェクタ１００は、投影部１０により投影光の一部が投影されるとともに、表示ボタン部２０が押込方向に移動されるのに従って、投影された投影光の反射量が変化するように投影光を反射する反射部３０と、反射部３０から反射された投影光および表示ボタン部２０を操作する操作物体９０から反射された投影光を検出する光検出部４０とを備えている。このプロジェクタ１００は、投影部１０により投影されて反射部３０から反射された投影光（反射光Ｒ１（図４参照））に基づいて、表示ボタン部２０の押込操作に関する検出を行うとともに、投影部１０により投影されて操作物体９０から反射された投影光（反射光Ｒ２（図４参照））に基づいて、操作物体９０の画像上の位置情報（座標情報）を取得するように構成されている。
【００２６】
また、プロジェクタ１００は、表示ボタン部２０の押込操作に関する検出結果と、操作物体９０の画像上の位置情報とをホストデバイス８０に通知するように構成されている。ホストデバイス８０は、ゲームなどの映像信号を投影部１０に提供するためのＰＣなどの外部装置である。ホストデバイス８０では、入力された検出結果と位置情報とに基づいて、ゲームなどの画像を変化させる所定の処理が実行される。これにより、表示ボタン部２０に投影されたゲームなどの画像をユーザが操作（タッチ操作やスワイプ操作、押込操作などの操作）するのに応じて、表示ボタン部２０に表示（投影）された画像が変化される。
【００２７】
また、プロジェクタ１００は、光検出部４０から出力される検出信号を処理する信号処理部５０と、各種のデータを記憶するための記憶部６０と、プロジェクタ１００の各構成要素を制御するための制御部７０とを備えている。以下、各構成要素の具体的な構成について説明する。
【００２８】
投影部１０は、表示ボタン部２０の後述する投影面２１の裏面側（Ｚ２方向側）に配置されているとともに、表示ボタン部２０の移動に関わらず、移動しないように構成されている。また、投影部１０は、レーザ光走査方式の投影部である。具体的には、投影部１０は、ＲＧＢ（赤、緑、青）の３つのレーザ光源（図示せず）と、ＭＥＭＳ（Ｍｉｃｒｏ  Ｅｌｅｃｔｒｏ  Ｍｅｃｈａｎｉｃａｌ  Ｓｙｓｔｅｍ）ミラーにより構成されるレーザ光走査部（図示せず）とを含んでいる。また、投影部１０は、レーザ光源から照射されたレーザ光（投影光）をレーザ光走査部により反射させることにより、レーザ光（投影光）を走査するように構成されている。
【００２９】
また、投影部１０は、垂直走査方向および水平走査方向に投影光を走査するように構成されている。本明細書では、垂直走査方向は、Ｘ方向に対応する方向であり、水平走査方向は、Ｙ方向に対応する方向である。ここで、図２を参照して、投影部１０による投影光の走査について説明する。
【００３０】
図２に示すように、投影部１０では、まず、走査開始点に投影光が照射される。走査開始点は、Ｙ２方向側で、かつ、Ｘ１方向側の点である。そして、投影部１０では、走査開始点からＹ１方向側の所定の位置まで投影光が水平（Ｙ１方向側）に走査される。これにより、一本目の水平走査線（水平走査方向に走査される投影光の軌跡）が形成される。そして、投影部１０では、一本目の水平走査線の終点の位置からＸ２方向側の所定の位置まで垂直（Ｘ２方向側）に走査される。そして、Ｙ２方向側に向かって投影光が水平に走査されて、二本目の水平走査線が形成される。その後、同様にしてＮ本目まで水平走査線が形成される。そして、Ｎ本目の水平走査線が形成されて、Ｙ１方向側で、かつＸ２方向側の点である走査終了点に投影光が到達した場合には、走査開始点に戻り、再び走査開始点に投影光が照射される。このようにして、投影部１０では、投影光が走査される。なお、図２では、理解の容易のため、投影部１０による投影光が水平走査方向に直線状に走査された後、垂直走査方向に直線状に走査されるように示している。実際には、投影部１０による投影光は、水平走査方向への走査と垂直走査方向への走査とによって、正弦波状に走査される。
【００３１】
また、投影部１０は、表示ボタン部２０の後述する投影面２１と、反射部３０とを含む領域を走査するように構成されている。また、投影部１０は、表示ボタン部２０の投影面２１に対応する領域を走査する際に、画像を形成する投影光を投影するように構成されている。また、投影部１０は、反射部３０に対応する領域を走査する際に、押込操作の検出のための投影光を投影するように構成されている。第１実施形態では、押込操作の検出のための投影光として、一本目の水平走査線（最初の水平走査線）を形成する投影光と、Ｎ本目の水平走査線（最後の水平走査線）を形成する投影光とが用いられる。
【００３２】
また、投影部１０は、図１に示すように、同期信号を制御部７０に出力するように構成されている。同期信号は、いずれのタイミングでレーザ光（投影光）を照射したかの情報を含む信号である。この同期信号と、光検出部４０による投影光の検出タイミングとに基づいて、制御部７０では、反射部３０から反射された投影光と表示ボタン部２０を操作する操作物体９０から反射された投影光とを別々に認識することが可能である。
【００３３】
表示ボタン部２０は、図４に示すように、図示しない付勢部材により押込方向（Ｚ２方向）とは反対の方向に付勢されており、通常状態で、押込方向に移動される前の押込待機状態になるように構成されている。また、表示ボタン部２０は、操作物体９０などにより押込操作された場合には、押込方向に移動される押込状態になるように構成されている。押込状態は、表示ボタン部２０が押込方向の可動域の端（Ｚ２方向の端）に到達した状態である押込完了状態と、押込待機状態から押込完了状態まで遷移する間の状態である押込過程状態とを含んでいる。
【００３４】
また、表示ボタン部２０は、投影部１０により画像が投影される投影面２１と、投影面２１の外側に設けられるつば部２２とを含んでいる。
【００３５】
投影面２１は、図３および図４に示すように、透過型のスクリーンであり、裏面側（Ｚ２方向側）に配置された投影部１０からの投影光を透過して、表面側（Ｚ１方向側）から視認可能なように構成されている。また、投影面２１は、平面視でＹ方向に長い略楕円形状を有するとともに、投影部１０が配置されるのとは反対側（Ｚ１方向側）に向かって球面状に膨らむように形成されている。なお、投影面２１の形状はこれに限られず、その他の形状を有していてもよい。この投影面２１に投影されたゲームなどの画像がユーザにより操作される。つまり、ユーザにより投影面２１に投影された画像に対するタッチ操作やスワイプ操作、表示ボタン部２０の押込操作などの操作がなされる。
【００３６】
つば部２２は、投影面２１の外周縁から外側に向かって延びるとともに、平板状に形成されている。また、つば部２２は、平面視で略矩形形状を有しており、つば部２２の略中央に投影面２１が配置されている。また、つば部２２は、投影面２１と連結されており、投影面２１がユーザにより押込方向に移動されるのに従って、押込方向に移動するように構成されている。
【００３７】
ここで、第１実施形態では、反射部３０は、図４に示すように、表示ボタン部２０のつば部２２の下面（Ｚ２方向側の面）に形成されている。したがって、反射部３０は、表示ボタン部２０が押込方向（Ｚ２方向）に移動されるのに従って、押込方向に移動するように構成されている。
【００３８】
また、第１実施形態では、反射部３０は、表示ボタン部２０の押込状態において、投影部１０により投影された押込操作の検出のための投影光を第１の反射率（略１００％）で反射する第１領域３１と、表示ボタン部２０の押込待機状態において、投影部１０により投影された押込操作の検出のための投影光を第１の反射率よりも小さい第２の反射率（略０％）で反射（吸収）する第２領域（ハッチングにより示す）３２とを含んでいる。また、反射部３０において、第１領域３１および第２領域３２は、反射部３０をＹ方向に沿う分割ラインにより区切られた２つの領域として各々形成されている。また、第１領域３１および第２領域３２は、各々、平面視で略矩形形状に形成されている。また、第１領域３１および第２領域３２は、第１領域の色と第２領域の色とを塗装により塗り分けて形成する方法や、第１領域をメッキにより鏡面として形成する方法などの方法により形成される。なお、図４では、理解の容易のために、反射部３０のＺ方向の厚みを誇張して示している。
【００３９】
また、反射部３０は、図３に示すように、表示ボタン部２０の投影面２１の垂直走査方向（Ｘ方向）の一方側（Ｘ１方向側）の端部近傍および他方側（Ｘ２方向側）の端部近傍に一対（反射部３０ａおよび３０ｂ）設けられている。また、一対の反射部３０ａおよび３０ｂは、各々、平面視で略矩形形状を有している。また、略矩形形状を有する反射部３０ａおよび３０ｂは、各々、表示ボタン部２０の投影面２１の水平走査方向（Ｙ方向）の一方側（Ｙ１方向側）の端部とＹ方向に重なる位置から、他方側（Ｙ２方向側）の端部とＹ方向に重なる位置まで、水平走査方向に沿って延びるように形成されている。
【００４０】
また、反射部３０ａでは、図４に示すように、Ｘ１方向側に第２領域３２ａが形成されているとともに、Ｘ２方向側に第１領域３１ａが形成されている。また、反射部３０ａは、押込待機状態において、一本目の水平走査線を形成する投影光が第２領域３２ａのＸ１方向側の端部を走査されるように構成されている。また、反射部３０ａは、表示ボタン部２０が押込方向に移動されるに従って、一本目の水平走査線を形成する投影光に対してＸ１方向に移動するように構成されている。そして、反射部３０ａは、押込完了状態において、一本目の水平走査線を形成する投影光が第１領域３１ａのＸ２方向側の端部を走査されるように構成されている。
【００４１】
また、反射部３０ｂでは、図４に示すように、Ｘ２方向側に第２領域３２ｂが形成されているとともに、Ｘ１方向側に第１領域３１ｂが形成されている。また、反射部３０ｂは、押込待機状態において、Ｎ本目（最後）の水平走査線を形成する投影光が第２領域３２ｂのＸ２方向側の端部を走査されるように構成されている。また、反射部３０ｂは、表示ボタン部２０が押込方向に移動されるに従って、Ｎ本目の水平走査線を形成する投影光に対してＸ２方向に移動するように構成されている。そして、反射部３０ｂは、押込完了状態において、Ｎ本目の水平走査線を形成する投影光が第１領域３１ｂのＸ１方向側の端部を走査されるように構成されている。
【００４２】
光検出部４０は、図１および図４に示すように、表示ボタン部２０の投影面２１の裏面側（Ｚ２方向側）に配置されている。また、光検出部４０は、受光量に応じて電流を発生させるフォトトランジスタ（図示せず）を含んでいる。また、光検出部４０は、反射部３０から反射された投影光および表示ボタン部２０を操作する操作物体９０から反射された投影光を受光（検出）して、受光量に応じた電流を検出信号として信号処理部５０に出力するように構成されている。
【００４３】
信号処理部５０は、電流／電圧変換部５１と、増幅部５２と、Ａ／Ｄコンバータ５３とを含んでいる。
【００４４】
電流／電圧変換部５１は、入力された検出信号の電流を電圧に変換して、増幅部５２に出力するように構成されている。また、増幅部５２は、入力された検出信号の電圧を増幅するとともに、Ａ／Ｄコンバータ５３に出力するように構成されている。また、Ａ／Ｄコンバータ５３は、入力された検出信号をアナログ信号からデジタル信号に変換して、制御部７０に出力するように構成されている。
【００４５】
記憶部６０は、ＲＡＭや、ＲＯＭなどの記憶媒体を含んでいる。記憶部６０には、制御部７０により用いられる各種のデータやプログラムなどが格納されている。
【００４６】
制御部７０は、プロジェクタ１００の各構成要素を制御するように構成されている。詳細には、制御部７０は、反射部３０の第１領域３１から反射された投影光の検出結果に基づいて、表示ボタン部２０の押込操作に関する検出を行うとともに、表示ボタン部２０を押込操作する操作物体９０から反射された投影光の検出結果に基づいて、操作物体９０の位置情報（座標情報）を取得する制御を行うように構成されている。
【００４７】
また、制御部７０は、一本目の水平走査線を形成する投影光およびＮ本目の水平走査線を形成する投影光の少なくともいずれか一方の投影光が光検出部４０により検出された場合には、表示ボタン部２０が押込操作されたと判定するとともに、反射部３０における第１領域３１と第２領域３２との分割ラインの位置に対応する表示ボタン部２０の所定の押込量を取得するように構成されている。また、制御部７０は、表示ボタン部２０が押込操作されたと判定された場合には、表示ボタン部２０が押込操作されたことおよび所定の押込量をホストデバイス８０に通知するように構成されている。また、制御部７０は、操作物体９０の位置情報を取得した場合には、操作物体９０の位置情報をホストデバイス８０に通知するように構成されている。
【００４８】
次に、図４および図５を参照して、反射部３０から反射された投影光の検出結果に基づく表示ボタン部２０の押込操作に関する検出について説明する。
【００４９】
まず、図４に示すように、押込待機状態では、一本目およびＮ本目の水平走査線を形成する投影光が反射部３０（３０ａ、３０ｂ）の第２領域３２（３２ａ、３２ｂ）に投影されている。この場合、投影光は略反射されないので、図５に示すように、反射部３０から反射される投影光の検出信号の受光レベルは、略０である。
【００５０】
そして、操作物体９０により表示ボタン部２０が押込方向に移動されるのに従って、一本目およびＮ本目の水平走査線を形成する投影光に対して反射部３０がＸ方向に移動する。具体的には、反射部３０ａがＸ１方向に、反射部３０ｂがＸ２方向に移動する。その結果、一本目およびＮ本目の水平走査線を形成する投影光が第２領域３２に投影される状態から、第１領域３１（３１ａ、３１ｂ）に投影される状態に、反射部３０の状態が遷移する。これにより、第１領域３１において投影光が略全反射されるので、図５に示すように、反射部３０の第１領域３１から反射された投影光の検出信号が光検出部４０により検出される。そして、表示ボタン部２０が押込操作されたと判定されるとともに、反射部３０における第１領域３１と第２領域３２との分割ラインの位置に対応する表示ボタン部２０の所定の押込量が制御部７０により取得される。なお、図５では、反射部３０の第１領域３１から反射された投影光の検出信号の一例として押込完了状態の検出信号を示している。
【００５１】
第１実施形態では、以下のような効果を得ることができる。
【００５２】
第１実施形態では、上記のように、投影部１０により押込操作の検出のための投影光が投影されるとともに、表示ボタン部２０が押込方向に移動されるのに従って、投影された投影光の反射状態が変化するように反射する反射部３０と、反射部３０から反射された投影光を検出する光検出部４０と、光検出部４０の検出結果に基づいて、表示ボタン部２０の押込操作に関する検出を行う制御部７０とを設けることによって、投影部１０を光源として用いて表示ボタン部２０の押込操作に関する検出を行うことができる。これにより、表示ボタン部２０の押込操作に関する検出を行うのに投影部１０とは別個に光源を設ける必要がない。その結果、部品点数および電気配線が増加するのを抑制しつつ、表示ボタン部２０の押込操作に関する検出を行うことができる。また、表示ボタン部２０が押込方向に移動されるのに従って、投影された投影光の反射状態が変化するように反射する反射部３０を用いることにより、押込操作の検出のみならず、押込量の検出も行うことができる。
【００５３】
また、第１実施形態では、上記のように、反射部３０から反射された投影光に加えて、表示ボタン部２０を押込操作する操作物体９０から反射された投影光を検出するように光検出部４０を構成する。これにより、反射部３０から反射された投影光の検出結果に基づいて表示ボタン部２０の押込操作に関する検出を行うのに加えて、表示ボタン部２０を押込操作する操作物体９０から反射された投影光に基づいて、操作物体９０の押込位置（座標）を検出することができるので、部品点数および電気配線が増加するのを抑制しながら、投影部１０による投影光を利用して、押込操作だけに基づく制御よりも多様な制御を行うことができる。
【００５４】
また、第１実施形態では、上記のように、光検出部４０の反射部３０から反射された投影光の検出結果に基づいて、表示ボタン部２０の押込操作に関する検出を行うとともに、光検出部４０の表示ボタン部２０を押込操作する操作物体９０から反射された投影光の検出結果に基づいて、操作物体９０の位置情報を取得する制御を行うように制御部７０を構成する。これにより、反射部３０からの投影光と、操作物体９０からの投影光とを利用して、押込操作および押込量の検出を行うのに加えて、操作物体９０の位置（座標）に対応する制御も行うことができる。
【００５５】
また、第１実施形態では、上記のように、表示ボタン部２０が押込方向に移動されるのに従って投影光に対して移動することによって、投影された投影光の反射量が変化するように反射部３０を構成する。これにより、投影光の反射量の変化に基づいて、容易に、押込操作のみならず押込量の検出も行うことができる。
【００５６】
また、第１実施形態では、上記のように、反射部３０に、表示ボタン部２０が押込方向に移動される押込状態において、投影部１０により投影された投影光を第１の反射率（略１００％）で反射する第１領域３１と、表示ボタン部２０が押込方向に移動される前の押込待機状態において、投影部１０により投影された投影光を第２の反射率（略０％）で反射する第２領域３２とを設ける。そして、第１領域３１から反射される投影光の検出結果に基づいて、表示ボタン部２０の押込操作に関する検出を行うように制御部７０を構成する。これにより、第１の反射率（略１００％）を有する第１領域３１と、第２の反射率（略０％）を有する第２領域３２とにより投影光を反射することができるので、容易に、反射部３０における投影光の反射量を変化させることができる。また、第２領域３２よりも反射率の高い第１領域３１から反射される投影光の検出結果に基づいて、表示ボタン部２０の押込操作に関する検出を行うように制御部７０を構成することによって、確実に、押込操作および押込量の検出を行うことができる。
【００５７】
また、第１実施形態では、上記のように、表示ボタン部２０の垂直走査方向（Ｘ方向）の一方側の端部近傍および他方側の端部近傍に設けられているとともに、水平走査方向（Ｙ方向）に沿って延びるように反射部３０（３０ａおよび３０ｂ）を形成する。これにより、水平走査方向に走査される投影光の軌跡により形成される水平走査線に対応する時間的に連続する検出信号（検出波形、図５参照）を光検出部４０により検出することができるので、表示ボタン部２０の水平走査方向の一方側の端部近傍および他方側の端部近傍に設けられている構成と比べて、検出信号を容易に処理することができる。
【００５８】
（第２実施形態）
次に、図１および図６〜図１１を参照して、第２実施形態について説明する。この第２実施形態では、反射部３０から反射された投影光の検出結果に基づいて、表示ボタン部２０の押込操作および所定の押込量を検出した上記第１実施形態の構成に加えて、反射部１３０から反射された投影光の反射量が増加するのに基づいて、表示ボタン部２０の押込量を取得（検出）する例について説明する。
【００５９】
本発明の第２実施形態によるプロジェクタ２００は、図１に示すように、反射部１３０と、制御部１７０とを備えている。なお、上記第１実施形態と同一の構成については、同じ符号を付してその説明を省略する。また、プロジェクタ２００は、本発明の「入力装置」の一例である。
【００６０】
第２実施形態では、図６に示すように、反射部１３０は、表示ボタン部２０のつば部２２の下面（Ｚ２方向側）から下方（Ｚ２方向）に向かって延びるように形成されている。また、反射部１３０は、表示ボタン部２０が押込方向（Ｚ２方向）に移動されるのに従って、押込方向に移動するように構成されている。また、反射部１３０は、表示ボタン部２０が押込方向に移動された場合には、一本目およびＮ本目の水平走査線を形成する投影光（押込操作の検出のための投影光）に対してＺ２方向に移動されるように構成されている。
【００６１】
また、図７に示すように、反射部１３０は、上記第１実施形態と同様に、表示ボタン部２０の投影面２１の垂直走査方向（Ｘ方向）の一方側（Ｘ１方向側）の端部近傍および他方側（Ｘ２方向側）の端部近傍に一対（反射部１３０ａおよび１３０ｂ）設けられている。また、一対の反射部１３０ａおよび１３０ｂは、各々、Ｘ方向から見て、略矩形形状を有するとともに、互いに対向するように配置されている。また、略矩形形状を有する反射部１３０ａおよび１３０ｂは、各々、表示ボタン部２０の投影面２１の水平走査方向（Ｙ方向）の一方側（Ｙ１方向側）の端部とＹ方向に重なる位置から、他方側（Ｙ２方向側）の端部とＹ方向に重なる位置まで、水平走査方向に沿って延びるように形成されている。
【００６２】
また、反射部１３０は、上記第１実施形態と同様に、表示ボタン部２０の押込状態において、投影部１０により投影された押込操作の検出のための投影光を第１の反射率（略１００％）で反射する第１領域１３１と、表示ボタン部２０の押込待機状態において、投影部１０により投影された押込操作の検出のための投影光を第２の反射率（略０％）で反射（吸収）する第２領域（ハッチングにより示す）１３２とを含んでいる。
【００６３】
ここで、第２実施形態では、図８に示すように、略矩形形状の反射部１３０において、第１領域１３１および第２領域１３２は、略矩形形状の対角線により区切られた２つの領域として各々形成されている。第１領域１３１は、反射部１３０の投影光に対して移動する方向（Ｚ２方向）とは反対の方向（Ｚ１方向）に向かって徐々にＹ方向に拡大する三角形状に形成されている。言い換えると、反射部１３０の第１領域１３１は、表示ボタン部２０が押込方向（Ｚ２方向）に移動されるのに従って、第１領域１３１から反射される投影光の反射量が増加するように形成されている。また、反射部１３０において、第２領域１３２は、反射部１３０の投影光に対して移動する方向とは反対の方向に向かって徐々にＹ方向に先細る三角形状に形成されている。
【００６４】
また、第２実施形態では、Ｘ１方向側の反射部１３０ａでは、対角線に対してＹ１方向側に第２領域１３２ａが形成されているとともに、対角線に対してＹ２方向側に第１領域１３１ａが形成されている。また、反射部１３０ａは、押込待機状態において、一本目の水平走査線を形成する投影光が第２領域１３２ａのＺ２方向側の端部を走査されるように構成されている。また、反射部１３０ａは、表示ボタン部２０が押込方向（Ｚ２方向）に移動された場合には、一本目の水平走査線を形成する投影光に対してＺ２方向に移動されるように構成されている。反射部１３０ａは、押込完了状態において、一本目の水平走査線を形成する投影光が第１領域１３１ａのＺ１方向側の端部を走査されるように構成されている。
【００６５】
また、反射部１３０ｂでは、対角線に対してＹ２方向側に第２領域１３２ｂが形成されているとともに、対角線に対してＹ１方向側に第１領域１３１ｂが形成されている。すなわち、反射部１３０ａと反射部１３０ｂとは、第１領域と第２領域との配置がＸ方向から見て反対になるように構成されている。これにより、表示ボタン部２０が傾いた状態で押込方向に移動される場合であっても、確実に、反射部１３０ａまたは１３０ｂのいずれかにより投影光を反射することが可能である。
【００６６】
また、反射部１３０ｂは、押込待機状態において、Ｎ本目の水平走査線を形成する投影光が第２領域１３２ｂのＺ２方向側の端部を走査されるように構成されている。また、反射部１３０ｂは、表示ボタン部２０が押込方向に移動された場合には、Ｎ本目の水平走査線を形成する投影光に対してＺ２方向に移動されるように構成されている。そして、反射部１３０ｂは、押込完了状態において、Ｎ本目の水平走査線を形成する投影光が第１領域１３１ｂのＺ１方向側の端部を走査されるように構成されている。
【００６７】
制御部１７０は、上記第１実施形態と同様に、反射部１３０の第１領域１３１から反射された投影光の検出結果に基づいて、表示ボタン部２０の押込操作に関する検出を行うように構成されている。また、制御部１７０は、第１領域１３１から反射される投影光の反射量が増加するのに基づいて、表示ボタン部２０の押込量を取得する制御を行うように構成されている。また、制御部１７０は、表示ボタン部２０の押込量を取得した場合には、取得した表示ボタン部２０の押込量をホストデバイス８０に通知するように構成されている。そして、ホストデバイス８０では、表示ボタン部２０の押込量に基づいて、ゲームなどの画像を変化させる所定の処理が実行される。
【００６８】
また、制御部１７０は、一本目の水平走査線を形成する投影光およびＮ本目の水平走査線を形成する投影光の少なくともいずれか一方の投影光に基づいて、表示ボタン部２０の押込操作に関する検出を行うように構成されている。
【００６９】
次に、図９〜図１１を参照して、表示ボタン部２０の押込量の取得について説明する。なお、図９〜図１１では、理解の容易のため、Ｘ１方向側の反射部１３０ａにより反射された投影光について説明する。
【００７０】
まず、図９に示すように、押込待機状態では、一本目の水平走査線を形成する投影光が反射部１３０ａの第２領域１３２ａに投影されている。この場合、投影光は略反射されないので、反射部１３０から反射される投影光の検出信号の受光レベルは、略０である。
【００７１】
そして、操作物体９０により表示ボタン部２０が押込方向に移動されるのに従って、一本目の水平走査線を形成する投影光に対して反射部１３０ａがＺ２方向に移動される。その結果、一本目の水平走査線を形成する投影光が第２領域１３２ａのみに投影される状態から、第１領域１３１ａおよび第２領域１３２ａの両方に投影される状態を経て、第１領域１３１ａのみに投影される状態に、反射部１３０ａの状態が遷移する。
【００７２】
図１０では、表示ボタン部２０が押込方向の可動域の略半分の位置まで押込操作された押込過程状態を示す。この場合、第１領域１３１ａから反射される投影光の反射量が増加するのに応じて、信号幅Ｗ１の検出信号が光検出部４０により検出される。したがって、信号幅Ｗ１に対応する表示ボタン部２０の押込量が制御部１７０により取得される。そして、操作物体９０により、表示ボタン部２０がさらに押込方向に移動される。
【００７３】
図１１では、表示ボタン部２０が押込方向の可動域の端の位置まで押込操作された押込完了状態を示す。この場合、第１領域１３１ａから反射される投影光の反射量が増加するのに応じて、信号幅Ｗ１よりも長い信号幅Ｗ２の検出信号が光検出部４０により検出される。したがって、信号幅Ｗ２に対応する表示ボタン部２０の押込量が制御部７０により取得される。このように、第２実施形態のプロジェクタ２００では、第１領域１３１ａから反射される投影光の反射量が増加するのに応じて、光検出部４０により検出される検出信号の信号幅が長くなることを利用して、表示ボタン部２０の押込量を取得することが可能である。
【００７４】
なお、第２実施形態のその他の構成は、上記第１実施形態と同様である。
【００７５】
第２実施形態では、以下のような効果を得ることができる。
【００７６】
第２実施形態では、上記のように、表示ボタン部２０が押込方向に移動されるのに従って、投影された投影光の反射状態が変化するように反射する反射部１３０を設けることによって、上記第１実施形態と同様に、部品点数および電気配線が増加するのを抑制しつつ、表示ボタン部２０の押込操作に関する検出を行うことができる。
【００７７】
また、第２実施形態では、上記のように、表示ボタン部２０が押込方向（Ｚ２方向）に移動されるのに従って、第１領域１３１から反射される投影光の反射量が増加するように反射部１３０の第１領域１３１を形成する。そして、第１領域１３１から反射される投影光の反射量が増加するのに基づいて、さらに表示ボタン部２０の押込量を取得する制御を行うように制御部１７０を構成する。これにより、容易に、表示ボタン部２０の押込操作のみならず、表示ボタン部２０の押込量を検出することができる。
【００７８】
また、第２実施形態では、上記のように、反射部１３０の投影光に対して移動する方向（Ｚ２方向）とは反対の方向に向かって徐々に拡大するように形成することによって、表示ボタン部２０が押込方向（Ｚ２方向）に移動されるのに従って、第１領域１３１から反射される投影光の反射量が増加するように反射部１３０の第１領域１３１を形成する。これにより、反射部１３０の投影光に対して移動する方向とは反対の方向に向かって徐々に拡大するように第１領域１３１が形成されているので、第１領域１３１が急激に拡大するように形成されている場合と比べて、制御部１７０により表示ボタン部２０の押込量をより細かく取得することができる。
【００７９】
なお、第２実施形態のその他の効果は、上記第１実施形態と同様である。
【００８０】
（第３実施形態）
次に、図１、図７および図１２〜図１５を参照して、第３実施形態について説明する。この第３実施形態では、反射部１３０から反射された投影光の反射量が増加するのに基づいて、表示ボタン部２０の押込量を取得（検出）した上記第２実施形態の構成に加えて、反射部２３０から反射された投影光の検出結果に基づいて、表示ボタン部２０が傾いた状態で押込方向に移動されたか否かを判定して、押込量を補正する例について説明する。
【００８１】
本発明の第３実施形態によるプロジェクタ３００は、図１に示すように、第１領域２３１と第２領域２３２とを含む反射部２３０と、制御部２７０とを備えている。なお、上記第１および第２実施形態と同一の構成については、同じ符号を付してその説明を省略する。また、プロジェクタ３００は、本発明の「入力装置」の一例である。
【００８２】
第３実施形態の反射部２３０は、第１領域２３１と第２領域２３２の形状が異なること以外は、上記第２実施形態の反射部１３０と同様の形状、および、同様の配置であるので、詳細な説明は省略する。すなわち、反射部２３０は、図７に示すように、表示ボタン部２０の投影面２１の垂直走査方向（Ｘ方向）の一方側（Ｘ１方向側）の端部近傍および他方側（Ｘ２方向側）の端部近傍に一対（反射部２３０ａおよび２３０ｂ）設けられている。
【００８３】
ここで、第３実施形態では、図１２に示すように、略矩形形状の反射部２３０において、第２領域２３２は、略矩形形状の反射部２３０の下辺（Ｚ２方向側の辺）を底辺としてＺ２方向側に徐々に先細る二等辺三角形状に形成されている。また、反射部２３０において、第１領域２３１は、第２領域２３２を挟んでＹ方向の両側に線対称な形状で一対形成されている。
【００８４】
すなわち、第３実施形態では、反射部２３０は、一対の第１領域２３１が形成されることによって、表示ボタン部２０が押込方向（Ｚ２方向）に移動されるのに従って、一対の検出信号（図１４および図１５参照）が光検出部４０により検出されるように構成されている。詳細には、第３実施形態のプロジェクタ３００では、反射部２３０は、Ｘ１方向側の反射部２３０ａの一対の第１領域２３１ａおよび２３１ｃと、Ｘ２方向側の反射部２３０ｂの一対の第１領域２３１ｂおよび２３１ｄとによって、最大４つの検出信号が光検出部４０により検出されるように構成されている。
【００８５】
また、第１領域２３１は、各々、反射部２３０の投影光に対して移動する方向（Ｚ２方向）とは反対の方向（Ｚ１方向）に向かって徐々にＹ方向に拡大する三角形状に形成されている。これにより、上記第２実施形態と同様に、制御部２７０により、表示ボタン部２０の押込量を取得することが可能である。
【００８６】
また、上記第２実施形態と同様に、反射部２３０では、Ｘ１方向側の反射部２３０ａに一本目の水平走査線を形成する投影光が投影（操作）されるとともに、Ｘ２方向側の反射部２３０ｂにＮ本目の水平走査線を形成する投影光が投影（走査）される。
【００８７】
ここで、操作物体９０による押込位置が表示ボタン部２０の投影面２１の端部近傍である場合には、表示ボタン部２０は、傾いた状態で押込方向（Ｚ２方向）に移動される場合（たとえば、図１５に示す場合）がある。この場合、操作物体９０による押込位置側（第１領域２３１ｃおよび２３１ｄ側）の表示ボタン部２０の端部は、充分に押込方向に移動するものの、操作物体９０による押込位置とは反対側（第１領域２３１ａおよび２３１ｂ側）の表示ボタン部２０の端部は、押込方向にほとんど移動されない。
【００８８】
そこで、第３実施形態では、制御部２７０は、反射部２３０から反射された投影光の検出結果に基づいて、表示ボタン部２０が傾いた状態で押込方向（Ｚ２方向）に移動されたか否かを判定するとともに、表示ボタン部２０が傾いた状態で押込方向に移動されたと判定された場合には、表示ボタン部２０の押込量を補正する制御を行うように構成されている。また、制御部２７０は、表ボタン部２０の押込量を補正した場合には、補正後の押込量をホストデバイス８０に通知するように構成されている。
【００８９】
次に、図１３および図１４を参照して、表示ボタン部２０の押込量の取得について説明する。その後、図１５を参照して、表示ボタン部２０の押込量の補正について説明する。
【００９０】
まず、図１３に示すように、押込待機状態では、一本目の水平走査線を形成する投影光が反射部２３０の第２領域２３２に投影されている。この場合、投影光は略反射されないので、反射部２３０から反射される投影光の検出信号の受光レベルは、略０である。
【００９１】
そして、操作物体９０により表示ボタン部２０が押込方向に移動されるのに従って、一本目の水平走査線を形成する投影光に対して反射部２３０がＺ２方向に移動される。その結果、一本目の水平走査線を形成する投影光が第２領域２３２のみに投影される状態から、第２領域２３２および第１領域２３１の両方に投影される状態を経て、第１領域２３１のみに投影される状態に、反射部２３０の状態が遷移する。
【００９２】
図１４では、表示ボタン部２０が押込方向の可動域の略半分の位置まで押込操作された押込過程状態を示す。この場合、４つの第１領域２３１（２３１ａ、２３１ｂ、２３１ｃおよび２３１ｄ）から反射される投影光の反射量が増加するのに応じて、信号幅Ｗ３、Ｗ４、Ｗ５およびＷ６の４つの検出信号が光検出部４０により検出される。傾きのない状態で表示ボタン部２０が押込方向に移動された場合には、信号幅Ｗ３、Ｗ４、Ｗ５およびＷ６は略同一の幅を有するので、４つの信号幅のうち少なくともいずれか一つの信号幅に基づいて、表示ボタン部２０の押込量が制御部２７０により取得される。そして、操作物体９０により、表示ボタン部２０がさらに押込方向に移動された押込完了状態においても、同様に４つの信号幅が得られるとともに、表示ボタン部２０の押込量が制御部２７０により取得される。このように、第３実施形態のプロジェクタ３００においても、第１領域２３１から反射される投影光の反射量が増加するのに応じて、光検出部４０により検出される検出信号の信号幅が長くなることを利用して、表示ボタン部２０の押込量を取得することが可能である。
【００９３】
次に、図１５を参照して、表示ボタン部２０の押込量の補正について、第１領域２３１ｃおよび２３１ｄ側の端部が押込操作されることによって、表示ボタン部２０が傾いた例を用いて説明する。
【００９４】
図１５では、表示ボタン部２０が傾いた状態で押込方向に移動された場合の反射部２３０の状態を示す。この場合、４つの第１領域２３１から反射される投影光の反射量に応じて、信号幅の異なる４つの検出信号が得られる。すなわち、第１領域２３１ａおよび２３１ｂに対応する信号幅Ｗ７およびＷ８と、第１領域２３１ｃおよび２３１ｄに対応し、信号幅Ｗ７およびＷ８よりも長い信号幅Ｗ９およびＷ１０との４つの検出信号が光検出部４０により検出される。
【００９５】
そして、制御部２７０では、４つの検出信号の信号幅のうち、最大の信号幅と最小の信号幅との差（たとえば、（Ｗ９−Ｗ７））が所定のしきい値以上であるか否かが判定される。また、制御部２７０では、信号幅の差が所定のしきい値以上である場合には、補正値テーブルから補正値を取得して、最大の信号幅の検出信号が補正される。これにより、表示ボタン部２０の押込量が補正される。なお、補正値テーブルは、予め記憶部６０に格納されている押込量の補正のためのＬＵＴ（ルックアップテーブル）である。
【００９６】
次に、図１６を参照して、上記した押込量補正処理の詳細について、フローチャートに基づいて説明する。
【００９７】
まず、図１６に示すように、ステップＳ１において、反射部２３０の４つの第１領域２３１から反射される投影光に対応する４つの検出信号の信号幅が制御部２７０により取得される。
【００９８】
そして、ステップＳ２において、取得した４つの信号幅のうち、最大の信号幅と、最小の信号幅との差が所定のしきい値以上であるか否かが制御部２７０により判定される。信号幅の差が所定のしきい値未満である場合には、傾きのない状態で表示ボタン部２０が押込方向に移動されたと考えられるので、押込量の補正処理を行うことなく、ステップＳ５に進む。
【００９９】
また、ステップＳ２において、信号幅の差が所定のしきい値以上である場合には、傾いた状態で表示ボタン部２０が押込方向に移動されたと考えられるので、ステップＳ３において、補正値テーブルから補正値が制御部２７０により取得される。
【０１００】
そして、ステップＳ４において、取得した補正値を用いて最大の信号幅の検出信号が制御部２７０により補正される。具体的には、表示ボタン部２０が傾いた状態では、信号幅が短くなると考えられるので、信号幅を長くする補正が行われる。その結果、信号幅が長くなるように補正されるので、表示ボタン部２０の押込量も増加する側に補正される。
【０１０１】
そして、ステップＳ５において、表示ボタン部２０の押込量が制御部２７０により取得される。具体的には、補正されている場合には、補正後の信号幅に対応する押込量が、補正されていない場合には、ステップＳ１において取得した信号幅に対応する押込量が制御部２７０により取得される。
【０１０２】
そして、ステップＳ６において、取得した表示ボタン部２０の押込量が制御部２７０によりホストデバイス８０に通知される。そして、ステップＳ１に戻り、次の押込操作の押込量の取得を繰り返す。
【０１０３】
なお、第３実施形態のその他の構成は、上記第２実施形態と同様である。
【０１０４】
第３実施形態では、以下のような効果を得ることができる。
【０１０５】
第３実施形態では、上記のように、表示ボタン部２０が押込方向に移動されるのに従って、投影された投影光の反射状態が変化するように反射する反射部２３０を設けることによって、上記第１実施形態と同様に、部品点数および電気配線が増加するのを抑制しつつ、表示ボタン部２０の押込操作に関する検出を行うことができる。
【０１０６】
また、第３実施形態では、上記のように、表示ボタン部２０の投影面２１の垂直走査方向（Ｘ方向）における一方側の端部近傍および他方側の端部近傍に反射部２３０を設ける。これにより、表示ボタン部２０が傾いた状態で押込方向に移動される場合に、反射部２３０により投影光の反射状態が変化されないのを抑制することができる。これにより、表示ボタン部２０が傾いた状態で押込方向に移動される場合であっても、確実に、表示ボタン部２０の押込操作に関する検出を行うことができる。
【０１０７】
また、第３実施形態では、上記のように、表示ボタン部２０の投影面２１の垂直走査方向（Ｘ方向）における一方側（Ｘ１方向側）の端部近傍および他方側（Ｘ２方向側）の端部近傍に設けられる反射部２３０から反射された投影光の検出結果に基づいて、表示ボタン部２０が傾いた状態で押込方向（Ｚ２方向）に移動されたか否かを判定するとともに、表示ボタン部２０が傾いた状態で押込方向に移動されたと判定された場合には、表示ボタン部２０の押込量を補正する制御を行うように制御部２７０を構成する。これにより、表示ボタン部２０が傾いた状態で押込方向に移動されたとしても、表示ボタン部２０の押込量が補正されるので、表示ボタン部２０が正常な状態で押込方向に移動された場合のみならず、表示ボタン部２０が傾いた状態で押込方向に移動された場合にも、表示ボタン部２０の押込量を正確に取得することができる。
【０１０８】
なお、第３実施形態のその他の効果は、上記第２実施形態と同様である。
【０１０９】
（第４実施形態）
次に、図１７および図１８を参照して、第４実施形態について説明する。この第４実施形態では、一対の反射部２３０ａおよび２３０ｂにより４つの検出信号を得た上記第３実施形態とは異なり、４つの反射部３３０（３３０ａ、３３０ｂ、３３０ｃおよび３３０ｄ）により４つの検出信号を得る例について説明する。
【０１１０】
本発明の第４実施形態によるプロジェクタ４００は、図１７に示すように、４つの反射部３３０を備えている。４つの反射部３３０は、各々、表示ボタン部２０が押込方向に移動されるのに従って、投影された投影光の反射状態が変化するように反射するように構成されている。なお、上記第１〜第３実施形態と同一の構成については、同じ符号を付してその説明を省略する。また、プロジェクタ４００は、本発明の「入力装置」の一例である。
【０１１１】
第４実施形態では、４つの反射部３３０ａ、３３０ｂ、３３０ｃおよび３３０ｄは、表示ボタン部２０の投影面２１を囲む周状に設けられている。具体的には、反射部３３０ａおよび３３０ｂは、表示ボタン部２０の投影面２１の垂直走査方向（Ｘ方向）の一方側（Ｘ１方向側）の端部近傍および他方側（Ｘ２方向側）の端部近傍に設けられている。また、反射部３３０ｃおよび３３０ｄは、表示ボタン部２０の投影面２１の水平走査方向（Ｙ方向）の一方側（Ｙ１方向側）の端部近傍および他方側（Ｙ２方向側）の端部近傍に設けられている。
【０１１２】
この第４実施形態では、押込操作の検出のための投影光として、一本目の水平走査線（最初の水平走査線）を形成する投影光と、Ｎ本目の水平走査線（最後の水平走査線）を形成する投影光と、一本目からＮ本目までの水平走査線の水平走査方向（Ｙ方向）の両端部の投影光とが用いられる。すなわち、上記第１〜第３実施形態と同様に、反射部３３０ａおよび３３０ｂにおいて、各々、一本目およびＮ本目の水平走査線を形成する投影光が押込操作の検出のための投影光として用いられるとともに、反射部３３０ｃおよび３３０ｄにおいて、一本目からＮ本目までの水平走査線の水平走査方向の両端部の投影光が押込操作の検出のための投影光として用いられる。
【０１１３】
また、４つの反射部３３０には、図１８に示すように、上記第２実施形態と同様の形状を有する第１領域３３１と第２領域３３２とが設けられている。すなわち、略矩形形状の反射部３３０において、第１領域３３１および第２領域３３２は、略矩形形状の対角線により区切られた２つの領域として各々形成されている。
【０１１４】
また、４つの反射部３３０は、互いに隣接する端部において、第１領域３３１同士、または、第２領域３３２同士が隣り合わないように配置されている。たとえば、反射部３３０ａのＹ１方向側の端部には、第１領域３３１が設けられており、反射部３３０ａのＹ１方向側の端部と隣接する反射部３３０ｃのＸ１方向側の端部には、第２領域３３２が設けられている。このように配置すれば、表示ボタン部２０が傾いた状態で押込方向に移動される場合であっても、確実に、反射部３３０ａ、３３０ｂ、３３０ｃまたは３３０ｄのいずれかにより投影光を反射することが可能である。
【０１１５】
また、このように、第４実施形態のプロジェクタ４００においても、反射部３３０を４つ設けることによって、４つの検出信号を得ることができるので、上記第３実施形態と同様に、表示ボタン部２０の押込量の補正を行うことが可能である。
【０１１６】
なお、第４実施形態のその他の構成は、上記第３実施形態と同様である。
【０１１７】
第４実施形態では、以下のような効果を得ることができる。
【０１１８】
第４実施形態では、表示ボタン部２０が押込方向に移動されるのに従って、投影された投影光の反射状態が変化するように反射する反射部３３０を設けることによって、上記第１実施形態と同様に、部品点数および電気配線が増加するのを抑制しつつ、表示ボタン部２０の押込操作に関する検出を行うことができる。
【０１１９】
また、第４実施形態では、上記のように、表示ボタン部２０の投影面２１の垂直走査方向（Ｘ方向）および水平走査方向（Ｙ方向）の両方の方向における一方側の端部近傍および他方側の端部近傍に反射部３３０を設ける。これにより、表示ボタン部２０が傾いた状態で押込方向に移動される場合に、反射部３３０により投影光の反射状態が変化されないのをより抑制することができる。これにより、表示ボタン部２０が傾いた状態で押込方向に移動される場合であっても、より確実に、表示ボタン部２０の押込操作に関する検出を行うことができる。
【０１２０】
なお、第４実施形態のその他の効果は、上記第３実施形態と同様である。
【０１２１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２２】
たとえば、上記第１〜第４実施形態では、反射部３０（１３０、２３０、３３０）に第１領域３１（１３１，２３１、３３１）および第２領域３２（１３２、２３２、３３２）を設けることによって、表示ボタン部２０が押込方向に移動されるのに従って、反射量が変化するようにプロジェクタ１００（２００、３００、４００）を構成した例を示したが、本発明はこれに限られない。本発明では、反射率の異なる第１領域および第２領域を設ける以外の方法によって、表示ボタン部が押込方向に移動されるのに従って、反射量が変化するように構成してもよい。
【０１２３】
また、上記第１〜第４実施形態では、第１領域３１（１３１、２３１、３３１）が略１００％の反射率を有し、第２領域３２（１３２、２３２、３３２）が略０％の反射率を有した例を示したが、本発明はこれに限られない。本発明では、第１領域から反射された投影光と、第２領域から反射された投影光を区別することができれば、第１領域および第２領域は、いずれの反射率を有していてもよい。また、第１領域から反射された投影光ではなく、第２領域から反射された投影光に基づいて、押込操作を判定してもよい。
【０１２４】
また、上記第１〜第３実施形態では、一対の反射部３０（１３０、２３０）を設けた例を、上記第４実施形態では、４つの反射部３３０を設けた例を示したが、本発明はこれに限られない。本発明では、１つ、３つおよび５つ以上の反射部が設けられてもよい。
【０１２５】
また、上記第１〜第３実施形態では、表示ボタン部２０の投影面２１の垂直走査方向（Ｘ方向）の一方側（Ｘ１方向側）の端部近傍および他方側（Ｘ２方向側）の端部近傍に一対の反射部３０（１３０、２３０）を設けた例を示したが、本発明はこれに限られない。本発明では、表示ボタン部２０の投影面２１の水平走査方向（Ｙ方向）の一方側（Ｙ１方向側）の端部近傍および他方側（Ｙ２方向側）の端部近傍に一対の反射部を設けてもよい。
【０１２６】
また、上記第１〜第３実施形態では、反射部３０（１３０、２３０）を水平走査方向に沿って延びるように形成した例を示したが、本発明はこれに限られない。本発明では、表示ボタン部が押込方向に移動されるのに従って、投影された投影光の反射量が変化するように構成されていれば、反射部をいずれの形状に形成してもよい。たとえば、反射部を略楕円形状の投影面の外周縁に沿って延びる円弧状に形成してもよい。
【０１２７】
また、上記第３および第４実施形態では、反射部２３０（３３０）から反射された投影光の検出結果に基づいて、表示ボタン部２０が傾いた状態で押込方向に移動されたか否かを判定して、押込量を補正した例を示したが、本発明はこれに限られない。本発明では、上記第１および第２実施形態においても、反射部３０（１３０）から反射された２つの投影光の検出結果に基づいて、表示ボタン部２０が傾いた状態で押込方向に移動されたか否かを判定してもよいし、押込量を補正してもよい。
【０１２８】
また、上記第１〜第４実施形態では、１つの光検出部４０により、反射部３０から反射された投影光および表示ボタン部２０を操作する操作物体９０から反射された投影光を検出した例を示したが、本発明はこれに限られない。本発明では、反射部３０から反射された投影光を検出する光検出部とは別個に、表示ボタン部２０を操作する操作物体９０から反射された投影光を検出する光検出部を設けてもよい。
【０１２９】
また、上記第３実施形態では、説明の便宜上、本発明の制御部２７０の処理を処理フローに沿って順番に処理を行うフロー駆動型のフローチャートを用いて説明したが、本発明はこれに限られない。本発明では、制御部２７０の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１３０】
１０  投影部
２０  表示ボタン部
３０、１３０、２３０、３３０  反射部
３１、１３１、２３１、３３１  第１領域
３２、１３２、２３２、３３２  第２領域
４０  光検出部
７０、１７０、２７０  制御部
１００、２００、３００、４００  プロジェクタ（入力装置）
【図１】
2015191543.tif 000003
【図２】
2015191543.tif 000004
【図３】
2015191543.tif 000005
【図４】
2015191543.tif 000006
【図５】
2015191543.tif 000007
【図６】
2015191543.tif 000008
【図７】
2015191543.tif 000009
【図８】
2015191543.tif 000010
【図９】
2015191543.tif 000011
【図１０】
2015191543.tif 000012
【図１１】
2015191543.tif 000013
【図１２】
2015191543.tif 000014
【図１３】
2015191543.tif 000015
【図１４】
2015191543.tif 000016
【図１５】
2015191543.tif 000017
【図１６】
2015191543.tif 000018
【図１７】
2015191543.tif 000019
【図１８】
2015191543.tif 000020